(57)【要約】  本発明は剪定バサミに関するもので、造景樹、果樹などの枝や幹を切断するとき、その枝又は幹の直径が大きいとか堅い場合、剪定時に発生する滑りなどを最小化しながら切断することができるようにするとともに、特に太い枝や幹が切断される瞬間に作業者の手に加わる衝撃を緩和することができ、作業中の枝に簡便にかけておくことができるようにするためである。そして、剪定バサミの切断範囲を外れた木の枝又は幹を切断するためのスライド式携帯用鋸の収納溝を有している。【選択図】図３
2019516343.tif 000002
【特許請求の範囲】
【請求項１】
一端部に木の枝の切断時の滑りを防止するための第１滑り防止湾曲部（１２）が多数形成された第１切削部（１１）が備えられ、他端部には剪定バサミの切断範囲を外れた木の枝又は幹を切断するためのスライド式携帯用鋸の収納手段（８０）を有する第１取っ手部（１５）が備えられる第１本体（１０）；
一端部には前記第１切削部（１１）に対応する第２切削部（２１）が備えられ、他端部には第２取っ手部（２５）が備えられる第２本体（２０）；
前記第１切削部（１１）及び第２切削部（２１）が互いに接近及び離隔することができるように第１本体（１０）と第２本体（２０）をヒンジ結合させるヒンジ部材（３０）；
前記第１取っ手部（１５）と第２取っ手部（２５）間の向き合う内側面に備えられたスプリング保持ピン（４２）に保持されて第１取っ手部（１５）と第２取っ手部（２５）の間で弾性を付与するスプリング（４０）；
前記第１取っ手部（１５）と第２取っ手部（２５）間の向き合う両内側面のいずれか一側面に備えられ、木の枝の切断のために第１取っ手部（１５）と第２取っ手部（２５）を把持して内側に押圧して枝又は幹を切断する瞬間に前記両内側面の他側面に弾性的に密着しながら、作業者の手に加わる衝撃を緩和する緩衝部材（５０）；及び
前記第１取っ手部（１５）と第２取っ手部（２５）の端部の向き合う両内側面のいずれか一側面に木の枝２が押し込まれて内側空間にかかるようにすることにより、剪定バサミを作業者の作業半径の近くにある木の枝２にかけることができるゴム材の弾性かけ片（５６）；を含んでいることを特徴とする、枝かけ及び緩衝の機能を兼備した剪定バサミ。
【請求項２】
前記スライド式携帯用鋸収納手段（８０）は、
第１取っ手部（１５）の外側に離脱し得るようにする収納溝（８２）が形成され、前記収納溝（８２）内で鋸（８１）がスライドすることができるように角形断面又は円形断面を有するガイドレール（８５）が形成され、前記鋸（８１）の一端部には、前記収納溝（８２）に形成された固定ピン（８４）に結合されて鋸（８１）の収容状態を維持する収容結合孔（８７）が形成され、前記鋸（８１）の他端部には、鋸（８１）がスライドして離脱してから固定ピン（８４）に結合されて鋸（８１）の離脱状態を維持する離脱結合孔（８３）が形成され、前記固定ピン（８４）は収容結合孔（８７）に垂直方向に前後方に作動する構造に構成され、前記鋸（８１）の未使用時には収納溝（８２）内に位置し、使用時には鋸（８１）の収容結合孔（８７）に係合されて拘束された固定ピン（８４）の拘束を解除して、鋸（８１）がガイドレール（８１）に沿ってスライドして第１取っ手部（１５）から露出されるようにし、鋸（８１）の離脱結合孔（８３）に固定ピン（８４）を係合して拘束するように構成されることを特徴とする、請求項１に記載の枝かけ及び緩衝の機能を兼備した剪定バサミ。
【請求項３】
前記スライド式携帯用鋸収納手段（８０）は、
第１取っ手部（１５）上には長手方向に鋸（８１）の移動路（９１）が形成され、移動路（９１）の一側面には多数の鋸歯状の係止部（９２）が形成され、前記係止部（９２）に選択的に係止されて所望の位置に停止することができるようにプッシュ取っ手部（９３）が備えられ、前記プッシュ取っ手（９３）に近接した鋸（８１）には通孔（８９）が形成され、前記通孔（８９）にプッシュ取っ手（９３）の結合突部（９４）が挿入されることによって互いに結合され、前記鋸（８１）の未使用時には移動路（９１）が形成された収納空間内に位置し、使用時にはプッシュ取っ手９３を移動路（９１）に沿って作動して鋸（８１）が第１取っ手部（１５）から露出されるように構成されることを特徴とする、請求項１に記載の枝かけ及び緩衝の機能を兼備した剪定バサミ。
【請求項４】
前記第１切削部（１１）に係止段（１４）が凹設され、前記第２切削部（２１）には回転によって前記係止段（１４）に係止される開閉レバー（６０）がさらに備えられ、第１取っ手部（１５）と第２取っ手部（２５）を把持して内側に押圧した状態で回動が停止するように構成されることを特徴とする、請求項１に記載の枝かけ及び緩衝の機能を兼備した剪定バサミ。
【請求項５】
前記弾性かけ片（５６）は緩衝部材（５０）及び緩衝部材（５０）が備えられたいずれか一つの取っ手部（１５、２５）と一体に形成されることを特徴とする、請求項４に記載の枝かけ及び緩衝の機能を兼備した剪定バサミ。
【発明の詳細な説明】
【技術分野】
【０００１】
本発明は剪定バサミに関するもので、より詳しくは造景樹、果樹などの枝や幹を切断するとき、その枝又は幹の直径が大きいとか堅い場合、剪定時に発生する滑りなどを最小化しながら切断することができるようにするとともに、特に太い枝や幹が切断される瞬間に作業者の手に加わる衝撃を緩和することができ、作業中の枝に簡便にかけておくことができるようにする枝かけ及び緩衝の機能を兼備した剪定バサミに関するものである。
【背景技術】
【０００２】
一般に、剪定バサミは枝や幹などの木の枝を切る用途に使われるとか又は木の枝の均一な生産及び調節のための剪定用途に使われる。このような剪定バサミは、枝ハサミ、木ハサミ、仕上げハサミ、剪定バサミなどに混用されることもあり、一番広く使われている。
【０００３】
前記剪定バサミの一例として提案された韓国登録実用新案第２０−０３１００５３号公報は、互いに回転可能に交差して結合され、板面に複数の通孔（１１１ａ）が設けられ、切断刃部（１１１）と取っ手部（１１２）が一体に形成された一対のハサミ片１００；前記ハサミ片（１００）の取っ手部（１１２）の外側端部から長手方向に沿って切断刃部（１１１）の縁部まで被覆されてハサミ片（１００）を支持するハサミ片支持部材（１５０）；及び前記ハサミ片支持部材（１５０）の切断刃部（１１１）の外側端部から外向に伸びて園芸作物の幹をつまむことができるように形成されたやっとこ部（１５１）を含む、幹をつまんで幹の刺、葉及び微小棘を除去する剪定バサミを開示している。
【０００４】
しかし、このような従来の剪定バサミの構造を見れば、支持刃の刃面が凹んでいる曲面になり、切断刃の刃面が膨らんでいる曲面に構成されているため、その間に投入される切断対象の木の枝又は幹を効果的に切断することができない問題点が発生し、さらにこのような従来の支持刃と切断刃の使用によって切断しようとする木の枝又は幹が太い場合、てこの形態に均一に切断しようとする力が一側に偏って発生すれば、外部に離脱して円滑な切断作業が難しくなる問題点が発生し、また、このような支持刃と切断刃が使用によって鈍くなれば、その間に投入された木の枝が滑って外部に離脱しようとする現象のため切断が容易にできない問題点があり、それだけでなく、従来の剪定バサミは枝を切る機能のみを有しているため、商品化するために園芸作物の幹の手入れをするときに別途の手入れ装備を使わなければならなく、ローズのような園芸作物の折曲時にもペンチなどの別途の折曲装備を使わなければならない問題点があった。
【０００５】
特に刺、葉及び細かい棘を除去するためには、使用者が切削刃を掴んで使わなければならないため、不注意の場合に使用者が切削刃によってけがをすることができるという問題点があった。
【０００６】
それで、本出願人は前記のような問題点を解消するために、韓国登録特許第１０−１５５７６０９号公報を提案したことがあり、前記本出願人の登録特許である剪定バサミをもっと改善しようと本発明を提案するものである。
【先行技術文献】
【特許文献】
【０００７】
【特許文献１】韓国登録実用新案第２０−０３１００５３号公報
【特許文献２】韓国登録特許第１０−１５５７６０９号公報
【発明の概要】
【発明が解決しようとする課題】
【０００８】
したがって、本発明は前記のような問題点を克服するためになされたもので、造景樹、果樹などの枝や幹を切断するとき、その枝又は幹の直径が大きいとか堅い場合、剪定時に発生する滑りなどを最小化しながら切断することができるようにするとともに、特に太い枝や幹が切断される瞬間に作業者の手に加わる衝撃を緩和することができ、作業中の枝に簡便にかけておくことができるようにする枝かけ及び緩衝の機能を兼備した剪定バサミを提供することをその技術的課題として完成したものである。
【課題を解決するための手段】
【０００９】
前記技術的課題を達成するために、本発明は、一端部に木の枝の切断時の滑りを防止するための第１滑り防止湾曲部（１２）が多数形成された第１切削部（１１）が備えられ、他端部には剪定バサミの切断範囲を外れた木の枝又は幹を切断するためのスライド式携帯用鋸の収納手段（８０）を有する第１取っ手部（１５）が備えられる第１本体（１０）；一端部には前記第１切削部（１１）に対応する第２切削部（２１）が備えられ、他端部には第２取っ手部（２５）が備えられる第２本体（２０）；前記第１切削部（１１）及び第２切削部（２１）が互いに接近及び離隔することができるように第１本体（１０）と第２本体（２０）をヒンジ結合させるヒンジ部材（３０）；前記第１取っ手部（１５）と第２取っ手部（２５）間の向き合う内側面に備えられたスプリング保持ピン（４２）に保持されて第１取っ手部（１５）と第２取っ手部（２５）の間で弾性を付与するスプリング（４０）；前記第１取っ手部（１５）と第２取っ手部（２５）間の向き合う両内側面のいずれか一側面に備えられ、木の枝の切断のために第１取っ手部（１５）と第２取っ手部（２５）を把持して内側に押圧して枝又は幹を切断する瞬間に前記両内側面の他側面に弾性的に密着しながら、作業者の手に加わる衝撃を緩和する緩衝部材（５０）；及び前記第１取っ手部（１５）と第２取っ手部（２５）の端部の向き合う両内側面のいずれか一側面に木の枝２が押し込まれて内側空間にかかるようにすることにより、剪定バサミを作業者の作業半径に近くにある木の枝２にかけることができるゴム材の弾性かけ片（５６）；を含んでいることを特徴とする、枝かけ及び緩衝の機能を兼備した剪定バサミを提供する。
【００１０】
ここで、前記スライド式携帯用鋸収納手段（８０）は、第１取っ手部（１５）の外側に離脱し得るようにする収納溝（８２）が形成され、前記収納溝（８２）内で鋸（８１）がスライドすることができるように角形断面又は円形断面を有するガイドレール（８５）が形成され、前記鋸（８１）の一端部には、前記収納溝（８２）に形成された固定ピン（８４）に結合されて鋸（８１）の収容状態を維持する収容結合孔（８７）が形成され、前記鋸（８１）の他端部には、鋸（８１）がスライドして離脱してから固定ピン（８４）に結合されて鋸（８１）の離脱状態を維持する離脱結合孔（８３）が形成され、前記固定ピン（８４）は収容結合孔（８７）に垂直方向に前後方に作動する構造に構成され、前記鋸（８１）の未使用時には収納溝（８２）内に位置し、使用時には鋸（８１）の収容結合孔（８７）に係合されて拘束された固定ピン（８４）の拘束を解除して、鋸（８１）がガイドレール（８５）に沿ってスライドして第１取っ手部（１５）から露出されるようにし、鋸（８１）の離脱結合孔（８３）に固定ピン（８４）を係合して拘束するように構成されることを特徴とする。
【００１１】
また、前記スライド式携帯用鋸収納手段（８０）は、第１取っ手部（１５）上には長手方向に鋸（８１）の移動路（９１）が形成され、移動路（９１）の一側面には多数の鋸歯状の係止部（９２）が形成され、前記係止部（９２）に選択的に係止されて所望の位置に停止することができるようにプッシュ取っ手部（９３）が備えられ、前記プッシュ取っ手（９３）に近接した鋸（８１）には通孔（８９）が形成され、前記通孔（８９）にプッシュ取っ手（９３）の結合突部（９４）が挿入されることによって互いに結合され、前記鋸（８１）の未使用時には移動路（９１）が形成された収納空間内に位置し、使用時にはプッシュ取っ手９３を移動路（９１）に沿って作動して鋸（８１）が第１取っ手部（１５）から露出されるように構成されることを特徴とする。
【００１２】
また、前記第１切削部（１１）に係止段（１４）が凹設され、前記第２切削部（２１）には回転によって前記係止段（１４）に係止される開閉レバー（６０）がさらに備えられ、第１取っ手部（１５）と第２取っ手部（２５）を把持して内側に押圧した状態で回動が停止するように構成されることを特徴とする。
【００１３】
そして、前記弾性かけ片（５６）は緩衝部材（５０）及び緩衝部材（５０）が備えられたいずれか一つの取っ手部（１５、２５）と一体に形成されることを特徴とする。
【発明の効果】
【００１４】
前述した本発明によれば、造景樹、果樹などの枝や幹を切断するとき、その枝又は幹の直径が大きいとか堅い場合、剪定時に発生する滑りなどを最小化しながら切断することができるようにするとともに、特に太い枝や幹が切断される瞬間に作業者の手に加わる衝撃を緩和することができる効果がある。
【００１５】
また、剪定バサミの切削部が古くて鈍くなっても切削部に備えられた滑り防止溝によって木の枝を易しく切断することができ、木の枝又は幹が太くても滑り防止溝によって外部への離脱を防止して円滑な切断作業を行うことができ、従来の剪定バサミの枝の切断機能から脱して、鋸を収納して、必要な作業時に剪定バサミの内部に収納された鋸を外部に排出して使用し、使用後には再び収納することにより、易しくて簡便に追加的な機能を確保して他の製品との商品化に優秀性を有する効果がある。
【００１６】
また、作業中に梯子を側方に移すとか他の作業を行うとき、剪定バサミをかけておくために作業者はハサミポケットが付いたベルトを備えなければならないが、剪定バサミの端部に形成された弾性かけ片を用いて木の枝にかけておけば良いので、作業性に有利な効果がある。
【図面の簡単な説明】
【００１７】
【図１】従来技術の剪定バサミの斜視図である。
【図２】本発明による枝かけ及び緩衝の機能を兼備した剪定バサミの例示図である。
【図３】本発明による枝かけ及び緩衝の機能を兼備した剪定バサミの例示図である
【図４】本発明による剪定バサミのスライド式携帯用鋸収納手段の例示図である。
【図５】本発明によるスライド式携帯用鋸の他の実施例示図である。
【図６】本発明による剪定バサミの結合状態の例示図である。
【図７】本発明による剪定バサミの開閉レバーの例示図である。
【図８】本発明による剪定バサミの弾性かけ片の例示図である。
【図９】本発明による剪定バサミの弾性かけ片の例示図である。
【発明を実施するための形態】
【００１８】
以下、本発明の実施のための具体的な内容を添付図面に基づいてより詳細に説明する。
【００１９】
本発明は、造景樹、果樹などの枝や幹を切断するとき、その枝又は幹の直径が大きいとか堅い場合、剪定時に発生する滑りなどを最小化しながら切断することができるようにするとともに、特に太い枝や幹が切断される瞬間に作業者の手に加わる衝撃を緩和することができ、作業中の枝に簡便にかけておくことができるようにする枝かけ及び緩衝の機能を兼備した剪定バサミに関するもので、図２〜図８を参照すれば、第１本体（１０）、第２本体（２０）、ヒンジ部材（３０）、スプリング（４０）、緩衝部材（５０）及び弾性かけ片（５６）を含んでいる。
【００２０】
前記第１本体（１０）は、図２及び図３に示すように、一端部に枝の切断時の滑りを防止するための第１滑り防止湾曲部（１２）が多数形成された第１切削部（１１）が備えられ、他端部には剪定バサミの切断範囲を外れた枝又は幹を切断するためのスライド式携帯用鋸の収納手段（８０）を有する第１取っ手部（１５）が備えられる。
【００２１】
前記第１取っ手部（１５）に形成されるスライド式携帯用鋸収納手段（８０）は、図４に示すように、第１取っ手部（１５）の外側に離脱し得るようにする収納溝（８２）が形成され、前記収納溝（８２）内で鋸（８１）がスライドすることができるように角形断面又は円形断面を有するガイドレール（８５）が形成され、前記鋸（８１）の一端部には、前記収納溝（８２）に形成された固定ピン（８４）に結合されて鋸（８１）の収容状態を維持する収容結合孔（８７）が形成され、前記鋸（８１）の他端部には、鋸（８１）がスライドして離脱してから固定ピン（８４）に結合されて鋸（８１）の離脱状態を維持する離脱結合孔（８３）が形成されている。
【００２２】
前記構成による鋸（８１）は、図４（ａ）に示すように、未使用時には収納溝（８２）内に位置する。この時、鋸（８１）の収容結合孔（８７）が固定ピン（８４）に係合されて拘束された状態にあり、前記固定ピン（８４）は収容結合孔（８７）に垂直方向に前後方に作動する構造である。この状態で、図４（ｂ）に示すように、使用時に収容結合孔（８７）に係合されて拘束された固定ピン（８４）を拘束状態から解除すれば、収納溝（８２）内に位置していた鋸（８１）がガイドレール（８５）に沿って下方にスライドして第１取っ手部（１５）の下方に露出され、その露出された状態で鋸（８１）の離脱結合孔（８３）に固定ピン（８４）を係合して拘束すれば鋸（８１）の使用が可能になる。
【００２３】
前記鋸（８１）の他の使用実施例として、図５に示すように、第１取っ手部（１５）の外部で鋸（８１）のスライド作動ができるように構成することができる。ここで、第１取っ手部（１５）上には長手方向に鋸（８１）の移動路（９１）が形成され、移動路（９１）の一側面には多数の鋸歯状の係止部（９２）が形成され、前記係止部（９２）に選択的に係止されて所望の位置に停止することができるようにプッシュ取っ手部（９３）が備えられる。また、前記プッシュ取っ手（９３）に近接した鋸（８１）には通孔（８９）が形成され、前記通孔（８９）にプッシュ取っ手（９３）の結合突部（９４）が挿入されることによって互いに結合される。
【００２４】
この状態で、鋸（８１）は、図５（ａ）に示すように、未使用時には移動路（９１）が形成された収納空間内に位置する。この時、鋸（８１）に連結されて第１取っ手部（１５）の外部に露出されたプッシュ取っ手（９３）は図面の第１取っ手部（１５）の上端に位置する状態である。この状態で、図５（ｂ）に示すように、使用時にプッシュ取っ手（９３）を図面の第１取っ手部（１５）の下端に、つまり移動路（９１）に沿ってスライド方式で移動させれば、移動路（９１）内に収納されていた鋸（８１）が第１取っ手部（１５）の下方に徐々に露出され、その露出された状態で所望の長さだけ設定してプッシュ取っ手（９３）を係止部（９２）に係止して停止させるとよい。
【００２５】
一方、前記第１本体（１０）に結合されて互いに相対回転する第２本体（２０）は、図２及び図３に示すように、一端部に前記第１切削部（１１）に対応する第２切削部（２１）が備えられ、他端部には第２取っ手部（２５）が備えられる。
【００２６】
前記第１本体（１０）及び第２本体（２０）には、図２及び図３に示すように、互いに接近及び離隔することができるようにヒンジ結合させるヒンジ部材（３０）が備えられる。ここで、ヒンジ部材（３０）は、一例として図６に示すように、ボルト（３１）及びナット（３２）の結合によってなる。
【００２７】
本発明の剪定バサミを構成する前記第１取っ手部（１５）と第２取っ手部（２５）の間には相互間の弾性作動のためにスプリング（４０）が備えられる。スプリング（４０）は、図３に示すように、第１取っ手部（１５）と第２取っ手部（２５）間の向き合う内側面に備えられたスプリング保持ピン（４２）に保持されるように構成される。
【００２８】
そして、図２及び図３に示すように、前記第１取っ手部（１５）及び第２取っ手部（２５）間の向き合う両内側面のいずれか一側面には、枝の切断のために第１取っ手部（１５）と第２取っ手部（２５）を把持して内側に押圧して枝又は幹を切断する瞬間に前記両内側面の他側面に弾性的に密着しながら、作業者の手に加わる衝撃を緩和する緩衝部材（５０）が備えられる。
【００２９】
前記スプリング（４０）によって緩衝作用がなされるが、これは指の一部でのみ衝撃が緩和するので、その効果が低い。よって、本発明は緩衝部材（５０）を備えることにより、第１取っ手部（１５）と第２取っ手部（２５）を把持して内側に押圧するときに衝撃を吸収又は分散させて全ての指に対する衝撃を吸収又は緩和させるようになる。
【００３０】
前記緩衝部材（５０）は弾性を有するゴム、特に防塵ゴムなどが使われ、その形成個数は限定されなく、第１取っ手部（１５）と第２取っ手部（２５）間の向き合う内側面全部にわたって備えられても構わないが、内側面全長の１／４〜１／２程度に形成されることが好ましい。
【００３１】
一方、図２及び図３に示すように、前記第１切削部（１１）に係止段（１４）が凹設され、前記第２切削部（２１）には、回転によって前記係止段（１４）に係止される開閉レバー（６０）がさらに備えられることにより、第１取っ手部（１５）と第２取っ手部（２５）を把持して内側に押圧した状態で回動を停止させるように構成されることができる。
前記開閉レバー（６０）は、図７にもっと詳細に示されているように、開閉レバー（６０）の端部側に形成された係止片（６２）が回転して第１切削部（１１）に形成された係止段（１４）に係止されることによって回動を停止させることができる。また、これと反対に、係止片（６２）を係止段（１４）から解除することにより、第１取っ手部（１５）と第２取っ手部（２５）がスプリング（４０）によって弾性的に回動する。
【００３２】
一方、本発明による剪定バサミは、図８に示すように、枝かけの機能を有するように具現したもので、作業中に梯子を側方に移すとか他の作業を行うとき、特に枝の切断後に消毒薬を塗るときなどの作業時に剪定バサミを掛けるための掛けが必要である。この際、従来には作業者の腰に着用しているベルトにかけて使ったが、作業者が腕や身を頻繁に動かなければならないから、作業者の疲労度が早く高まって作業性が落ちるため、本発明ではこれを防止するために、剪定バサミを作業者の作業半径に近くにある木の枝にかけることができるように具現した。
【００３３】
このために、前記第１取っ手部（１５）及び第２取っ手部（２５）の端部の両内側面のいずれか一側面に、木の枝２が押し込まれてかかる弾性かけ片（５６）が形成される。
【００３４】
これをより詳細に説明すれば、図８の（ａ）のように、第１取っ手部（１５）と第２取っ手部（２５）を把持して内側に押圧したときの剪定バサミの開閉レバー（６０）の係止作用によって回動が定時した状態で、木の枝２を第１取っ手部（１５）と第２取っ手部（２５）の間に進入させて弾性かけ片（５６）に突き当てる。この時、図８の（ｂ）のように、剪定バサミの弾性かけ片（５６）を木の枝２側に押し付ければ、木の枝２が弾性かけ片（５６）を押し付けることによって弾性かけ片（５６）が力の方向に曲がり、よって、図８の（ｃ）のように、木の枝２が弾性かけ片（５６）の内側空間に進入し、弾性かけ片（５６）が木の枝２にかかる。
【００３５】
前記弾性かけ片（５６）を使えば、木の枝２の太さにかかわらず、どの木の枝２にも掛けることができる。
【００３６】
また、前記弾性かけ片（５６）は弾性体からなるもので、前記緩衝部材（５０）と同一の素材であるゴム、特に防塵ゴムなどが使われ、製造の便宜性を考慮して、図９のように、弾性かけ片（５６）は緩衝部材（５０）及び緩衝部材（５０）が備えられたいずれか一つの取っ手部（１５）、（２５）と一体に形成されることができる。
【００３７】
このように本発明による枝かけ及び緩衝の機能を兼備した剪定バサミを構成すれば、造景樹、果樹などの枝や幹を切断するとき、その枝又は幹の直径が大きいとか堅い場合、剪定時に発生する滑りなどを最小化しながら切断することができるようにするとともに、特に太い枝や幹が切断される瞬間に作業者の手に加わる衝撃を緩和することができ、作業中の枝に簡便にかけておくことができるようになる。
【符号の説明】
【００３８】
２      木の枝
１０    第１本体
１１    第１切削部
１２    第１滑り防止湾曲部
１５    第１取っ手部
２０    第２本体
２１    第２切削部
２５    第２取っ手部
３０    ヒンジ部材
４０    スプリング
４２    スプリング保持ピン
５０    緩衝部材
６０    開閉レバー
【図１】
2019516343.tif 000003
【図２】
2019516343.tif 000004
【図３】
2019516343.tif 000005
【図４（ａ）】
2019516343.tif 000006
【図４（ｂ）】
2019516343.tif 000007
【図５（ａ）】
2019516343.tif 000008
【図５（ｂ）】
2019516343.tif 000009
【図６】
2019516343.tif 000010
【図７】
2019516343.tif 000011
【図８（ａ）】
2019516343.tif 000012
【図８（ｂ）】
2019516343.tif 000013
【図８（ｃ）】
2019516343.tif 000014
【図９】
2019516343.tif 000015
【国際調査報告】
2019516343.tif 000016
2019516343.tif 000017
2019516343.tif 000018
2019516343.tif 000019